(57)【要約】      （修正有）【課題】タッチパネルなどの直接的な入力手段によらずに、撮像された手などの所定部位によって入力を可能とするインターフェース装置を得る。【解決手段】操作されることより所定の情報を受け付けるためのボタンをモニタに表示すると共に、カメラにより得られた画像信号に基づき、撮像された被写体をボタンが表示された画面内に表示する。被写体の所定部位を画像認識し、モニタ画面内における所定部位の座標を検出し、検出された所定部位の座標が、予め備えているボタン領域の座標内に入っているかを検出し、所定部位の座標がボタン領域の座標内に入っていることが検出された場合に、当該ボタンの表示態様を変更してモニタにおける表示を行う。【選択図】図１
2010122735.tif 000002
【特許請求の範囲】
【請求項１】
被写体を撮像して画像信号を得るカメラと、
画像を表示するためのモニタと、
操作されることより所定の情報を受け付けるためのボタンを前記モニタに表示すると共に、前記カメラにより得られた画像信号に基づき、撮像された被写体をボタンが表示された画面内に表示する第１の表示制御手段と、
前記撮像された被写体の所定部位を画像認識し、モニタ画面内における座標を検出する画像認識手段と、
この画像認識手段により検出された所定部位の座標が、予め備えているボタン領域の座標内に入っているかを検出する検出手段と、
この検出手段により所定部位の座標がボタン領域の座標内に入っていることが検出された場合に、当該ボタンの表示態様を変更して前記モニタにおける表示を行う第２の表示制御手段と
を具備することを特徴とするインタフェース装置。
【請求項２】
画像認識手段は、被写体の手に関して、モニタ画面内における座標及び手の予め定められた２形態を検出するものであり、
検出手段は、第１の形態を有する手の座標がボタン領域の座標内に入っている選択状態と、第２の形態を有する手の座標がボタン領域の座標内に入っている操作状態とを検出するものであり、
第２の表示制御手段は、検出手段が操作状態を検出したときの表示態様を検出手段が選択状態を検出したときの表示態様から変更することを特徴とする請求項１に記載のインタフェース装置。
【請求項３】
第１の表示制御手段は、ボタンの領域が第１の所定色とされた第１のボタン画像をモニタに表示し、
第２の表示制御手段は、手の座標がボタン領域の座標内に入っている当該ボタンのボタン領域を第２の所定色とした第２のボタン画像を作成し、前記第１のボタン画像における手の座標がボタン領域の座標内に入っている当該ボタンを消去した消去画像と第２のボタン画像との論理和画像を得て、この論理和画像を前記モニタに表示することを特徴とする請求項１または２に記載のインタフェース装置。
【請求項４】
第２の表示制御手段は、第１のボタン画像と論理和画像とを、交互に前記モニタに表示することにより、ボタンのブリンク表示を行うことを特徴とする請求項３に記載のインタフェース装置。
【請求項５】
被写体を撮像して画像信号を得るカメラと、画像を表示するためのモニタと、このモニタに画像を表示する処理を行うコンピュータとを備えるインタフェース装置の前記コンピュータを、
操作されることより所定の情報を受け付けるためのボタンを前記モニタに表示すると共に、前記カメラにより得られた画像信号に基づき、撮像された被写体をボタンが表示された画面内に表示する第１の表示制御手段、
前記撮像された被写体の所定部位を画像認識し、モニタ画面内における座標を検出する画像認識手段、
この画像認識手段により検出された所定部位の座標が、予め備えているボタン領域の座標内に入っているかを検出する検出手段、
この検出手段により所定部位の座標がボタン領域の座標内に入っていることが検出された場合に、当該ボタンの表示態様を変更して前記モニタにおける表示を行う第２の表示制御手段
として機能させることを特徴とするインタフェース用プログラム。
【請求項６】
画像認識手段は、被写体の手に関して、モニタ画面内における座標及び手の予め定められた２形態を検出するものであり、
検出手段は、第１の形態を有する手の座標がボタン領域の座標内に入っている選択状態と、第２の形態を有する手の座標がボタン領域の座標内に入っている操作状態とを検出するものであり、
第２の表示制御手段は、検出手段が操作状態を検出したときの表示態様を検出手段が選択状態を検出したときの表示態様から変更することを特徴とする請求項５に記載のインタフェース用プログラム。
【請求項７】
第１の表示制御手段は、ボタンの領域が第１の所定色とされた第１のボタン画像をモニタに表示し、
第２の表示制御手段は、手の座標がボタン領域の座標内に入っている当該ボタンのボタン領域を第２の所定色とした第２のボタン画像を作成し、前記第１のボタン画像における手の座標がボタン領域の座標内に入っている当該ボタンを消去した消去画像と第２のボタン画像との論理和画像を得て、この論理和画像を前記モニタに表示することを特徴とする請求項５または６に記載のインタフェース用プログラム。
【請求項８】
第２の表示制御手段は、第１のボタン画像と論理和画像とを、交互に前記モニタに表示することにより、ボタンのブリンク表示を行うことを特徴とする請求項７に記載のインタフェース用プログラム。
【発明の詳細な説明】
【技術分野】
【０００１】
この発明は、情報端末などにおいてタッチパネルなどの直接的な入力手段によらずに、撮像された手などの所定部位によって入力を可能とするインタフェース装置及びこの装置に用いられるインタフェース用プログラムに関するものである。
【背景技術】
【０００２】
近年、情報端末の入力手段としてタッチパネルが広く用いられている。しかしながら、このタッチパネルは、操作者が直接触れて入力を行うものであるため、耐久性に難があり、また表示画面が広い装置に採用すると表示画面の広さに応じたタッチパネルが必要となり、コスト高な装置となってしまう欠点があった。
【０００３】
上記に対し、ＣＣＤカメラにより操作者の手を撮像して、得られた画像の処理により手の形状を認識して、数字入力や表示装置のカーソル移動を行う装置が知られている（特許文献１参照）。
【発明の開示】
【発明が解決しようとする課題】
【０００４】
しかしながら上記の従来例装置によれば、操作者がＣＣＤカメラの撮像範囲に入っていることを確認する手段がなく、入力を行うことができない場合に装置が故障であるか撮像範囲に入っていないためであるか不明であるという問題があった。また、操作者が手の形状を所定形状とするジェスチャーが要求されるなど、操作が難しいという問題もあった。
【特許文献１】特開平９−１８５４５６号公報
【０００５】
本発明は上記のような従来のインタフェース装置が備える問題を解決せんとしてなされたもので、その目的は、操作者が撮像範囲に入っていることを容易に確認可能であり、また、操作者に難しいジェスチャーなどを要求する必要がないインタフェース装置を提供することである。
【課題を解決するための手段】
【０００６】
本発明に係るインタフェース装置は、被写体を撮像して画像信号を得るカメラと、画像を表示するためのモニタと、操作されることより所定の情報を受け付けるためのボタンを前記モニタに表示すると共に、前記カメラにより得られた画像信号に基づき、撮像された被写体をボタンが表示された画面内に表示する第１の表示制御手段と、前記撮像された被写体の所定部位を画像認識し、モニタ画面内における座標を検出する画像認識手段と、この画像認識手段により検出された所定部位の座標が、予め備えているボタン領域の座標内に入っているかを検出する検出手段と、この検出手段により所定部位の座標がボタン領域の座標内に入っていることが検出された場合に、当該ボタンの表示態様を変更して前記モニタにおける表示を行う第２の表示制御手段とを具備することを特徴とする。
【０００７】
本発明に係るインタフェース装置では、画像認識手段は、被写体の手に関して、モニタ画面内における座標及び手の予め定められた２形態を検出するものであり、検出手段は、第１の形態を有する手の座標がボタン領域の座標内に入っている選択状態と、第２の形態を有する手の座標がボタン領域の座標内に入っている操作状態とを検出するものであり、第２の表示制御手段は、検出手段が操作状態を検出したときの表示態様を検出手段が選択状態を検出したときの表示態様から変更することを特徴とする。
【０００８】
本発明に係るインタフェース装置では、第１の表示制御手段は、ボタンの領域が第１の所定色とされた第１のボタン画像をモニタに表示し、第２の表示制御手段は、手の座標がボタン領域の座標内に入っている当該ボタンのボタン領域を第２の所定色とした第２のボタン画像を作成し、前記第１のボタン画像における手の座標がボタン領域の座標内に入っている当該ボタンを消去した消去画像と第２のボタン画像との論理和画像を得て、この論理和画像を前記モニタに表示することを特徴とする。
【０００９】
本発明に係るインタフェース装置では、第２の表示制御手段は、第１のボタン画像と論理和画像とを、交互に前記モニタに表示することにより、ボタンのブリンク表示を行うことを特徴とする。
【００１０】
本発明に係るインタフェース用プログラムは、被写体を撮像して画像信号を得るカメラと、画像を表示するためのモニタと、このモニタに画像を表示する処理を行うコンピュータとを備えるインタフェース装置の前記コンピュータを、操作されることより所定の情報を受け付けるためのボタンを前記モニタに表示すると共に、前記カメラにより得られた画像信号に基づき、撮像された被写体をボタンが表示された画面内に表示する第１の表示制御手段、前記撮像された被写体の所定部位を画像認識し、モニタ画面内における座標を検出する画像認識手段、この画像認識手段により検出された所定部位の座標が、予め備えているボタン領域の座標内に入っているかを検出する検出手段、この検出手段により所定部位の座標がボタン領域の座標内に入っていることが検出された場合に、当該ボタンの表示態様を変更して前記モニタにおける表示を行う第２の表示制御手段として機能させることを特徴とする。
【００１１】
本発明に係るインタフェース用プログラムでは、画像認識手段は、被写体の手に関して、モニタ画面内における座標及び手の予め定められた２形態を検出するものであり、検出手段は、第１の形態を有する手の座標がボタン領域の座標内に入っている選択状態と、第２の形態を有する手の座標がボタン領域の座標内に入っている操作状態とを検出するものであり、第２の表示制御手段は、検出手段が操作状態を検出したときの表示態様を検出手段が選択状態を検出したときの表示態様から変更することを特徴とする。
【００１２】
本発明に係るインタフェース用プログラムでは、第１の表示制御手段は、ボタンの領域が第１の所定色とされた第１のボタン画像をモニタに表示し、第２の表示制御手段は、手の座標がボタン領域の座標内に入っている当該ボタンのボタン領域を第２の所定色とした第２のボタン画像を作成し、前記第１のボタン画像における手の座標がボタン領域の座標内に入っている当該ボタンを消去した消去画像と第２のボタン画像との論理和画像を得て、この論理和画像を前記モニタに表示することを特徴とする。
【００１３】
本発明に係るインタフェース用プログラムでは、第２の表示制御手段は、第１のボタン画像と論理和画像とを、交互に前記モニタに表示することにより、ボタンのブリンク表示を行うことを特徴とする。
【発明の効果】
【００１４】
本発明によれば、操作されることより所定の情報を受け付けるためのボタンをモニタに表示すると共に、カメラにより得られた画像信号に基づき、撮像された被写体をボタンが表示された画面内に表示するので、モニタに被写体が表示されたかにより入力可能範囲に入っているかを容易に判定でき、便利である。
【００１５】
また、本発明では、被写体の所定部位を画像認識し、モニタ画面内における所定部位の座標を検出し、検出された所定部位の座標が、予め備えているボタン領域の座標内に入っているかを検出し、所定部位の座標がボタン領域の座標内に入っていることが検出された場合に、当該ボタンの表示態様を変更してモニタにおける表示を行うので、操作者は所定部位を表示されたボタンの領域に入るようにすれば良く、操作が容易である。
【００１６】
また、ボタンの選択状態と操作状態を実現する場合にも、予め定められた２形態を検出するので、操作者は２通りの形態を行えば良く、操作が容易である。
【発明を実施するための最良の形態】
【００１７】
以下添付図面を参照して、本発明のインタフェース装置の実施例を説明する。各図において同一の構成要素には、同一の符号を付して重複する説明を省略する。図１には、実施例に係るインタフェース装置を備える情報処理装置１０が示されている。この情報処理装置１０は、例えばＬＣＤによる表示部１１を備える本体部２０と、被写体を撮像して動画像の画像信号を得るＣＣＤカメラ１２と、ＣＣＤカメラ１２によりを得られた動画像の画像信号を用いた画像処理を行って結果を本体部２０へ送る画像処理部３０とを主な構成要素としている。
【００１８】
図２に、機能構成ブロック図を示す。本体部２０には、第１の表示制御手段２１、検出手段２２、第２の表示制御手段２３が備えられている。また、画像処理部３０には、画像認識手段３１が備えられている。ＣＣＤカメラ１２により得られた画像信号は画像処理部３０の上記画像認識手段３１が取り込むと共に、本体部２０へ送られる。
【００１９】
第１の表示制御手段２１は、操作されることより所定の情報を受け付けるためのボタンをモニタである表示部１１に表示すると共に、ＣＣＤカメラ１２により得られた画像信号に基づき、撮像された被写体をボタンが表示された画面内に表示するものである。例えば、第１の表示制御手段２１は、図３に示すような４個のボタンを表示するメニュー画面画像Ａを備えており、この画像によるボタンと共に被写体５０の被写体画像５０Ａを表示部１１の画面に図１に示されるように表示する。この場合、ボタンと被写体画像５０Ａが重なった場合にも、双方が見えるように透かして表示を行う。
【００２０】
画像認識手段３１は、撮像された被写体の所定部位としての手を画像認識し、モニタ画面内における座標を検出するものである。ここに、操作者である被写体５０においては、手の平を開いた状態で操作してもらうものとする。画像認識手段３１は、ＣＣＤカメラ１２の撮像方向の背景画像を有し、ＣＣＤカメラ１２により得られる１フレームの画像との間で背景差分を行い、予め設定されている大きさと形状を有する画像部分を手の平として検出し、例えば１フレーム単位のフレーム間差分により、手の平を追跡する。また、検出された手の平の位置を、例えば水平画素数と垂直画素数により表示部１１の画面の左下隅を０とする座標に変換する。この検出された座標情報は、本体部２０へ送られる。
【００２１】
本体部２０では、検出手段２２が上記座標情報を受け取り、手の座標が、予め備えているボタン領域の座標内に入っているかを検出するものである。検出手段２２は、図１、図３のボタン「Ｍｅｎｕ１」〜「Ｍｅｎｕ４」の領域の座標情報を予め備え、これと上記画像認識手段３１から送られた座標情報とを比較し、ボタン領域の座標内に入っているかを検出する。
【００２２】
ボタン領域の座標内に入っていることが検出されると、そのボタンを特定するボタン識別情報を、情報処理装置１０に備えられているメニュー画面のボタン操作に対応する処理を行うプログラムに送出する。これにより、当該プログラムが起動して所定の処理を行うことになる。
【００２３】
上記プログラムへボタン識別情報を送出する前に、ボタン識別情報は、第２の表示制御手段２３へ送られる。第２の表示制御手段２３は、検出手段２２により手の座標がボタン領域の座標内に入っていることが検出された場合に、当該ボタンの表示態様を変更してモニタである表示部１１における表示を行うものである。具体的には、例えば、図１、図３に示されているメニュー画面においてボタン「Ｍｅｎｕ１」の領域に手が入ったことが検出されたものとすると、ボタン「Ｍｅｎｕ１」の色を図１、図３の色から図６に示す別の色（図では濃度により示す）へ変更して表示する。これにより、操作者はボタン「Ｍｅｎｕ１」を操作できたと認識できる。
【００２４】
この図２に示される各手段は、コンピュータが図４、図５に示すフローチャートに対応するプログラムを実行することにより実現されるので、このフローチャートを用いて動作を説明する。
【００２５】
まず、画像処理部３０のコンピュータは、画像信号を取り込みディジタル化して、背景差分とフレーム間差分により手を検出し、手の座標値を求める（Ｓ１１）。更に、この座標を本体部２０へ送る（Ｓ１２）。
【００２６】
本体部２０では、コンピュータが、図３に示すような４個のボタンを表示するメニュー画面画像を備えており、この画像によるボタンと共に被写体５０の被写体画像５０Ａを表示部１１の画面に図１に示されるように表示する（Ｓ２１）。これ以降も、コンピュータは、ボタンと共に被写体５０の被写体画像５０Ａを表示部１１の画面に表示し続ける。
【００２７】
本体部２０のコンピュータは、上記座標情報を受け取り、手の座標が、予め備えているボタン領域の座標内に入っているか否かを検出する（Ｓ２２）。手の座標が、予め備えているボタン領域の座標内に入っている場合には、当該ボタンの表示態様を変更してモニタである表示部１１における表示を行う（Ｓ２３）。例えば、図３の色から図６に示す別の色（図では濃度により示す）へ変更して表示する。これ以降は、情報処理装置１０に備えられている、メニュー画面のボタン操作に対応する処理を行うプログラムが起動する。
【００２８】
上記の場合に、第２の表示制御手段２３により行われる色を変更する処理を説明する。第２の表示制御手段２３は、第１の表示制御手段２１が備えている図３のような表示部１１の画面に表示する画像Ａと、ボタンの領域に手が入った場合の色を有する図７に示すような表示部１１の画面に対応する画像Ｂを備えている。画像Ｂがそのまま表示部１１の画面に表示されることはない。
【００２９】
検出手段２２及び第２の表示制御手段２３は、図８に示される、ボタン識別用色画像Ｃを備える。ボタン識別用色画像Ｃは、ボタン「Ｍｅｎｕ１」〜「Ｍｅｎｕ４」の領域に、異なる色（白と黒を除く）ＣＬ１〜ＣＬ４が配置された画像である。このボタン識別用色画像Ｃが、図１、図３のボタン「Ｍｅｎｕ１」〜「Ｍｅｎｕ４」の領域の座標情報であり、画像認識手段３１から送られた座標情報の座標に色ＣＬ１〜ＣＬ４のいずれが存在するか検出し、検出した色情報（ＣＬ１〜ＣＬ４のいずれか）をボタン識別情報として第２の表示制御手段２３へ通知する。
【００３０】
第２の表示制御手段２３は、ボタン識別情報が与えられた場合には、図９に示すフローチャートにより示す処理によって、手の座標がボタン領域の座標内に入っている当該ボタンのボタン領域を第２の所定色とした第２のボタン画像を作成し、第１のボタン画像における手の座標がボタン領域の座標内に入っている当該ボタンを消去した消去画像と第２のボタン画像との論理和画像を得て、この論理和画像をモニタである表示部１１に表示する。この場合において、第１の表示制御手段２１は、ボタンの領域が第１の所定色とされた第１のボタン画像をモニタである表示部１１に表示している。
【００３１】
即ち、第２の表示制御手段２３は、ボタン識別情報である例えば色情報ＣＬ１を得たものとすると、ボタン識別用色画像Ｃにおける色情報ＣＬ１の領域を白、残りを黒とした図１０に示す画像Ｄを作成する（Ｓ３１）。次に、図７に示す画像Ｂと上記ステップＳ３１において作成した画像Ｄの論理積を作成し、図１１に示すように、手の座標がボタン領域の座標内に入っている該当ボタンのボタン領域を第２の所定色とした第２のボタン画像Ｅを得る（Ｓ３２）。
【００３２】
次に、ボタン識別用色画像Ｃにおける色情報ＣＬ１の領域を黒、残りを白とした図１２に示す画像Ｆを作成する（Ｓ３３）。更に、図３に示される４個のボタンを表示するメニュー画面画像Ａと上記画像Ｆの論理積を作成し、図１３に示すように、メニュー画面の画像である第１のボタン画像における手の座標がボタン領域の座標内に入っている該当ボタン（ここでは、ボタン「Ｍｅｎｕ１」）を消去した消去画像Ｇを作成する（Ｓ３４）。
【００３３】
更に、上記ステップＳ３４において作成した消去画像と図１１に示した第２のボタン画像Ｅとの論理和画像を得て、この論理和画像をモニタである表示部１１に表示する（Ｓ３５）。このようにして作成された論理和画像は、図６に示す通りである。ただし、表示部１１に表示される画像は、上記図６のような画像に操作者である被写体５０の被写体画像５０Ａが重ねられた画像である。
【００３４】
なお、上記の例にあっては、表示態様の変更をボタンの色を変えることにより行ったが、色を変えると共にブリンクさせるようにしても良い。この場合には、図３に示した画像Ａと図６に示した画像Ｈとを交互に表示部１１へ表示することで実現できる。また、ボタンの形状を変えたり、「入力受付中」などの付記表示を行うなどしても良い。
【００３５】
次に、第２の実施例を説明する。この第２の実施例の構成は、図１、図２に示したものと変わらない。画像認識手段３１は、被写体の手に関して、モニタ画面内における座標及び手の予め定められた２形態を検出する。ここに、手の予め定められた２形態とは、手の平を開いた第１（第２）の形態と、手の平を開いた第１（第２）の形態から手首を中心に９０度前方へ手の平を倒した状態である第２（第１）の形態とする。検出手法としては、背景差分とフレーム間差分を行い、手の部分の面積を所定閾値を用いて比較し、第１の形態と第２の形態とを峻別する手法を採用する。画像認識手段３１は、被写体の手に関して、モニタ画面内における座標を検出し、この座標位置を形態の変更情報と共に本体部２０へ送出する。
【００３６】
検出手段２２は、最初に検出された第１の形態を有する手の座標がボタン領域の座標内に入っている選択状態と、第１の形態とは異なる第２の形態を有する手の座標がボタン領域の座標内に入っている操作状態とを検出するものである。第２の表示制御手段２３は、検出手段２２が操作状態を検出したときの表示態様を検出手段２２が選択状態を検出したときの表示態様から変更するものである。例えば、選択状態においては、当初の色と異なる色により該当ボタンを表示し、操作状態においては、ボタンをブリンク表示する。
【００３７】
この図２に示される各手段は、コンピュータが図１４、図１５に示すフローチャートに対応するプログラムを実行することにより実現されるので、このフローチャートを用いて動作を説明する。
【００３８】
まず、画像処理部３０のコンピュータは、画像信号を取り込みディジタル化して、背景差分とフレーム間差分により手を検出し、手の座標値を求める（Ｓ４１）。更に、手の面積比較により、第１の形態と第２の形態を認識し（Ｓ４２）、形態が変更されたかを検出する（Ｓ４３）。形態の変更があれば座標と形態変更の旨を本体部２０へ送り（Ｓ４４）、形態の変更がなければ座標のみを本体部２０へ送る（Ｓ４５）。
【００３９】
本体部２０では、コンピュータが、図３に示すような４個のボタンを表示するメニュー画面画像Ａを備えており、この画像Ａによるボタンと共に被写体５０の被写体画像５０Ａを表示部１１の画面に図１に示されるように表示する（Ｓ５１）。これ以降も、コンピュータは、ボタンと共に被写体５０の被写体画像５０Ａを表示部１１の画面に続ける。
【００４０】
本体部２０のコンピュータは、上記座標情報を受け取り、手の座標が、予め備えているボタン領域の座標内に入っているか否かを検出する（Ｓ５２）。手の座標が、予め備えているボタン領域の座標内に入っている場合には、当該ボタンの表示態様を変更してモニタである表示部１１における表示を行う（Ｓ５３）。例えば、図３の色から図６に示す別の色（図では濃度により示す）へ変更して表示する。
【００４１】
本体部２０のコンピュータは、更に、手の形態変更を検出し（Ｓ５４）、手の形態変更がなければ、手の座標が、予め備えているボタン領域の座標内から外れたかを検出し（Ｓ５５）、外れた場合には、ボタンの表示態様を元へ戻し（Ｓ５６）、ステップＳ５２へ戻って動作を続ける。
【００４２】
上記における手の形態変更を検出するステップＳ５４において、形態変更がなされたことを検出すると、ボタンの表示態様を更に変更して表示（例えば、当該ボタンをブリンク表示）し（Ｓ５７）、エンドとなる。これ以降は、情報処理装置１０に備えられている、メニュー画面のボタン操作に対応する処理を行うプログラムが起動する。上記の場合に、第２の表示制御手段２３により行われる色を変更する処理は、図９のフローチャートにより説明した通りである。
【図面の簡単な説明】
【００４３】
【図１】本発明に係るインタフェース装置の実施例の概要を示す図。
【図２】本発明に係るインタフェース装置の実施例の機能ブロック図。
【図３】本発明に係るインタフェース装置の実施例に備えられている画像を示す図。
【図４】本発明に係るインタフェース装置の第１の実施例の動作を説明するためのフローチャート。
【図５】本発明に係るインタフェース装置の第１の実施例の動作を説明するためのフローチャート。
【図６】本発明に係るインタフェース装置の実施例において表示態様が変更された一例の画面を示す図。
【図７】本発明に係るインタフェース装置の実施例に備えられている画像を示す図。
【図８】本発明に係るインタフェース装置の実施例に備えられている画像を示す図。
【図９】本発明に係るインタフェース装置の実施例の色変更動作を説明するためのフローチャート。
【図１０】本発明に係るインタフェース装置の実施例の色変更動作の過程において作成される画像を示す図。
【図１１】本発明に係るインタフェース装置の実施例の色変更動作の過程において作成される画像を示す図。
【図１２】本発明に係るインタフェース装置の実施例の色変更動作の過程において作成される画像を示す図。
【図１３】本発明に係るインタフェース装置の実施例の色変更動作の過程において作成される画像を示す図。
【図１４】本発明に係るインタフェース装置の第２の実施例の動作を説明するためのフローチャート。
【図１５】本発明に係るインタフェース装置の第２の実施例の動作を説明するためのフローチャート。
【符号の説明】
【００４４】
１０  情報処理装置
１１  表示部
１２  ＣＣＤカメラ
２０  本体部
２１  第１の表示制御手段
２２  検出手段
２３  第２の表示制御手段
３０  画像処理部
３１  画像認識手段
５０  被写体
５０Ａ  被写体画像
【図１】
2010122735.tif 000003
【図２】
2010122735.tif 000004
【図３】
2010122735.tif 000005
【図４】
2010122735.tif 000006
【図５】
2010122735.tif 000007
【図６】
2010122735.tif 000008
【図９】
2010122735.tif 000009
【図１３】
2010122735.tif 000010
【図１４】
2010122735.tif 000011
【図１５】
2010122735.tif 000012
【図７】
2010122735.tif 000013
【図８】
2010122735.tif 000014
【図１０】
2010122735.tif 000015
【図１１】
2010122735.tif 000016
【図１２】
2010122735.tif 000017